(57)【要約】【課題】巻真パイプと竜頭とのねじ噛み合い部の寿命を向上できるとともに、竜頭に対して雌ねじを簡単かつ高精度に加工できる携帯時計を提供する。【解決手段】胴１３に取付けられた巻真パイプ２１に竜頭３１がねじロックされる携帯時計を前提とする。巻真パイプ２１は雄ねじ２３が形成された胴外突出部２１ｂを有する。竜頭３１は、竜頭軸３２、及び雄ねじ２３に取外し可能に螺合する雌ねじ３６を有して竜頭軸３２に連結された竜頭リング３３を備える。竜頭軸３２は、竜頭リング３３より小径で巻真パイプ２１に挿入された胴挿入筒部３２ａと、この筒部に一体に設けられて竜頭リング３３の一端部に連結されたリング連結部３２ｂを有している。【選択図】      図２
2006226929.tif 000002
【特許請求の範囲】
【請求項１】
胴と；
この胴の外部に配置されるとともに雄ねじが形成された胴外突出部を有した巻真パイプと；
竜頭軸、及び前記雄ねじに取外し可能に螺合する雌ねじを有して前記竜頭軸に連結された竜頭リングを備え、前記竜頭軸が、前記竜頭リングより小径で前記巻真パイプに挿入された胴挿入筒部と、この筒部に一体に設けられて前記竜頭リングの一端部に連結されたリング連結部を有してなる竜頭と；
を具備した携帯時計。
【請求項２】
前記竜頭軸と前記竜頭リングとを異種材料で形成した請求項１に記載の携帯時計。
【請求項３】
前記竜頭リングと前記竜頭軸とを異色とした請求項１又は２に記載の携帯時計。
【請求項４】
前記竜頭リングに前記雌ねじより大径な結合穴を設け、前記リング連結部に、前記雄ねじの一部に螺合する連結雄ねじ部と、この連結雄ねじ部と前記雌ねじの螺合によって前記結合穴に圧入される圧入部とを設けた請求項１から３の内のいずれか一項に記載の携帯時計。
【請求項５】
竜頭軸、及び内周に雌ねじを有した竜頭リングを備え、前記竜頭軸が、前記竜頭リングより小径な胴挿入筒部と、この筒部に一体に設けられて前記竜頭リングの一端部に連結されたリング連結部を有してなる携帯時計用竜頭。
【発明の詳細な説明】
【技術分野】
【０００１】
本発明は、竜頭が不用意に回転されないように保持する構造を備えた携帯時計、及びこの時計に用いられる竜頭に関する。
【背景技術】
【０００２】
腕時計等の携帯時計の中には、その携帯時に竜頭が不用意に回転されないように、ねじの噛合いを利用して竜頭をロックするようにした（この構造ないしは機能を本明細書ではねじロック、又はねじロック構造、或いはねじロック機能と称する。）ものがある。
【０００３】
ねじロック構造は、時計ムーブメントが内蔵された胴に巻真パイプを取付け、このパイプの胴外突出部の外周に形成された雄ねじに、胴外突出部に被嵌する竜頭の雌ねじを螺合する構造である。これにより、通常時には、竜頭を胴外突出部の外周に螺合して竜頭が不用意に回転されないようにねじロックできる。又、時計ムーブメントを操作する時には、雄ねじに対する竜頭の螺合（噛み合い）外してから、竜頭を引き動かした状態で巻真パイプの内側に配置されている巻真を竜頭を介して回転操作することができる。
【０００４】
このようなねじロック構造を備えた従来の携帯時計の竜頭は、単一部品からなり、具体的には、内筒体と、これと一体の外筒体とから形成されている。内筒体は、胴に取付けられた巻真パイプに胴の外部から挿入される部位である。外筒体は、内筒体より短く、この内筒体の一端部を覆っている。この外筒体の内周には雌ねじ部形成されている。この雄ねじを巻真パイプの胴外突出部の外周に形成された雄ねじに螺合させて、外筒体の端面を胴外面に当てることによって竜頭がねじロックされるようになっている（例えば、特許文献１参照。）。
【特許文献１】実願平7−26792号公報（段落0003−0004、0009−0011、図１-図２）
【発明の開示】
【発明が解決しようとする課題】
【０００５】
特許文献１に記載の一体構造の竜頭は、その外筒体と内筒体を一体につないだ壁部を有している。この壁部は、タップ等のねじ切り工具を用いて外筒体に雌ねじを加工する際に、ねじ切り工具のある程度以上の挿入を妨げる。
【０００６】
これにより、竜頭の外筒体に雌ねじを形成するねじ切り加工では、前記壁部にねじ切り工具が当たらないようにする配慮が必要であるので、加工がしづらく、そのため、加工コスト的に不利である。
【０００７】
また、前記のようにねじ切り加工の作業性（加工性）が良くないから、雌ねじの加工精度のばらつきが大きい。それにより、巻真パイプの雄ねじと竜頭の雌ねじとの噛み合いの精度が悪い組合せを生じることがある。この場合には竜頭の回転操作に伴ってねじ噛み合い部の寿命低下を招くことがある。
【０００８】
更に、小部品である竜頭の大きさからして、その外筒体に形成される雌ねじのねじ山の数は３〜４が限界であるが、製造上ねじ切り工具が外筒体を貫通することなく雌ねじを形成するので、この雌ねじの前記壁部に近い部分は不完全ねじ部となっている。このため、巻真パイプの雄ねじと竜頭の雌ねじとを噛み合わせてねじロックするに伴って、雌ねじ部の不完全ねじ部が雄ねじを変形させ、それにより、ねじ噛み合い部の寿命低下を招くことがある。
【０００９】
本発明の目的は、巻真パイプと竜頭とのねじ噛み合い部の寿命を向上できるとともに、竜頭に対して雌ねじを簡単かつ高精度に加工できる携帯時計及びこの時計に用いられる竜頭を提供することにある。
【課題を解決するための手段】
【００１０】
前記課題を解決するために、本発明の携帯時計は、胴と；この胴の外部に配置されるとともに雄ねじが形成された胴外突出部を有して、前記胴に取付けられた巻真パイプと；竜頭軸、及び前記雄ねじに取外し可能に螺合する雌ねじを有した竜頭リングを備え、前記竜頭軸が、前記竜頭リングより小径で前記巻真パイプに挿入された胴挿入筒部と、この筒部に一体に設けられて前記竜頭リングの一端部に連結されたリング連結部を有してなる竜頭と；を具備している。
【００１１】
本発明では、竜頭が単一部品からなる一体構造ではなく、二部品、つまり竜頭リングと竜頭軸とを備えた構成であるので、竜頭リングが単体の状態で、このリングの内側にねじ切り工具を通してねじロックのための雌ねじを加工できる。これにより、ねじ切り加工を簡単に行えるとともに、それに伴い加工精度を高めることができ、しかも、雌ねじ全体を完全ねじ部とすることができる。したがって、この竜頭リングとその内側に通した竜頭軸とを連結してなる竜頭を用いたことで、この竜頭の雌ねじと巻真パイプの胴外突出部の雄ねじとの噛み合いの精度を向上できるとともに、竜頭の回転操作に伴って、竜頭の雌ねじと胴外突出部の雄ねじとの噛み合い部の損傷を抑制できる。
【００１２】
本発明の携帯時計の好ましい形態では、前記竜頭軸と前記竜頭リングとを異種材料で形成している。
【００１３】
この好ましい形態では、竜頭軸の材質に制約されずに、例えば摩耗に強い材料などねじの噛み合いに好適な材料で、雌ねじを有した竜頭リングを作ることが可能となる。
【００１４】
又、本発明の携帯時計の好ましい形態では、前記竜頭リングと前記竜頭軸とを異色としている。
【００１５】
この好ましい形態では、竜頭を単一の色調ではなく、竜頭に要求される意匠に応じて様々なカラーバリエーションを竜頭に与えるのに適している。
【００１６】
この場合、竜頭リングと竜頭軸とが異なる色調の異種材料であってもよく、或いは同一材料であっても、少なくとも一方にだけメッキ処理などの表面処理により形成されるカラー層を設けて実施することが可能である。なお、メッキ処理でカラー層を設ける場合には、該当する竜頭リングなどを単品状態でメッキ処理すればよく、その際に他方の竜頭軸などにマスキング処理をする必要がないので、簡単にカラー層を設けることができる。
【００１７】
又、本発明の携帯時計の好ましい形態では、前記竜頭リングに前記雌ねじより大径な結合穴を設け、前記リング連結部に、前記雄ねじの一部に螺合する連結雄ねじ部と、この連結雄ねじ部と前記雌ねじの螺合によって前記結合穴に圧入される圧入部とを設けている。
【００１８】
この好ましい形態では、竜頭軸の連結雄ねじ部を竜頭リングの雌ねじの一部に螺合することによって、竜頭軸と竜頭リングとを連結できる。それだけではなく、前記螺合によって竜頭軸の圧入部が、竜頭リングの結合穴に引き込まれて、この結合穴に圧入されるので、この係合部分でも竜頭軸と竜頭リングとを連結できる。このため、竜頭軸と竜頭リングとを連結が一層確実となり、竜頭操作に伴って竜頭軸と竜頭リングとのねじ噛み合い部が弛むおそれがなくすことができる。
【００１９】
又、前記課題を解決するために、本発明の携帯時計用竜頭は、竜頭軸、及び内周に雌ねじを有した竜頭リングを備え、前記竜頭軸が、前記竜頭リングより小径な胴挿入筒部と、この筒部に一体に設けられて前記竜頭リングの一端部に連結されたリング連結部を有している。
【００２０】
本発明の竜頭は、単一部品ではなく、竜頭リングと竜頭軸との二部品からなるので、竜頭リングが単体の状態で、このリングの内側にねじ切り工具を通してねじロックのための雌ねじを加工できる。これにより、ねじ切り加工を単に行えるとともに、それに伴い加工精度を高めることができ、しかも、雌ねじ全体を完全ねじ部とすることができる。したがって、この竜頭リングとその内側に通した竜頭軸とを連結してなる竜頭を、ねじロック用の竜頭として携帯時計に用いることで、この竜頭の雌ねじと巻真パイプの胴外突出部の雄ねじとの噛み合い精度の向上が可能となるとともに、竜頭の回転操作に伴って、竜頭の雌ねじと胴外突出部の雄ねじとの噛み合い部の損傷を抑制することが可能となる。
【発明の効果】
【００２１】
本発明によれば、巻真パイプと竜頭とのねじ噛み合い部の寿命を向上できるとともに、竜頭に対して雌ねじを簡単かつ高精度に加工できる携帯時計及びこの時計に用いられる竜頭を提供できる。
【発明を実施するための最良の形態】
【００２２】
本発明の一実施形態を図１〜図５を参照して説明する。
【００２３】
図１中符号１１は竜頭をねじロックできる機能を備えた携帯時計として例えば腕時計を示している。腕時計１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００２４】
時計外装組立１２は、ステンレス鋼やチタン等の金属や合成樹脂からなる環状の胴１３の厚み方向一面に、カバーガラス１４を液密に装着するとともに、胴１３の厚み方向裏面に、金属等からなる裏蓋１５（図２及び図３参照）を液密に装着して形成されている。カバーガラス１４を通して文字板１６などを透視可能であり、裏蓋１５は取外し可能である。
【００２５】
図２及び図３に示すように胴１３の一部には、この胴１３を径方向に貫通するパイプ取付け孔１７が設けられている。パイプ取付け孔１７の一端は、胴内、つまり時計外装組立１２の内部に開口され、パイプ取付け孔１７の他端は、胴外、つまり時計外装組立１２の外部に開口されている。
【００２６】
胴１３にはパイプ取付け孔１７に胴外側から挿入された巻真パイプ２１が液密に固定されている。巻真パイプ２１には、金属例えばステンレス鋼を好適に使用できる。巻真パイプ２１は、一端側の挿入部２１ａと他端側の胴外突出部２１ｂを有している。挿入部２４はパイプ取付け孔１７に胴外側から挿入して固定されている。本実施形態では、金属製ろう材２２を用いて胴１３に対して挿入部２１ａを分離できないように固定している。この固定を担うろう材２２は、胴１３と巻真パイプ２１との間の防水を担う液密保持用の部材としても機能している。
【００２７】
これに代えて、パイプ取付け孔１７に雌ねじを形成すると共に、挿入部に雄ねじを形成して、これらのねじを螺合させ、かつ、前記ろう材を設けた位置などに防水パッキングを設けることで、水密的に固定しても良い。又、他の固定手段によって巻真パイプ２１を胴１３に固定することもできる。挿入部２１ａはパイプ取付け孔１７を貫通する長さとしても良い。
【００２８】
胴外突出部２１ｂは、胴１３の外部に配置される部分であって、挿入部２１ａより大径である。この胴外突出部２１ｂの外周には雄ねじ２３が形成されている。胴外突出部２１ｂの挿入部側の端面は胴外面１３ａに当たっている。
【００２９】
図１〜図５中符号３１で示す竜頭は、竜頭軸３２と竜頭リング３３とを連結して形成されている。竜頭軸３２及び竜頭リング３３は同種又は異種の金属材料からなる。使用する金属としては、ステンレス鋼、チタン等を挙げることができる。又、竜頭軸３２と竜頭リング３３の内、少なくとも竜頭リング３３はメッキ処理などの表面処理などにより形成されたカラー層を有して、胴１３又は竜頭軸３２と異色にすることも可能である。
【００３０】
図２〜図４に示すように竜頭軸３２は、胴挿入筒部３２ａとリング連結部３２ｂとを有している。胴挿入筒部３２ａは竜頭リング３３の内径より小径であって、その軸方向一端は開放されている。リング連結部３２ｂは、胴挿入筒部３２ａより大径であるが、竜頭リング３３の外径より小径である。このリング連結部３２ｂは胴挿入筒部３２ａの軸方向他端に一体に設けられている。
【００３１】
リング連結部３２ｂはその外周に連結ねじ部３４と圧入部３５とを有している。このリング連結部３２ｂは竜頭リング３３の一端部を塞ぐ閉鎖端部として機能する。連結ねじ部３４はその全てが完全ねじ部で形成されている。この連結ねじ部３４は圧入部３５より胴挿入筒部３２ａに近い位置に設けられ、圧入部３５は連結ねじ部３４より胴挿入筒部３２ａから遠い位置に設けられている。圧入部３５は、連結雄ねじ部３４より大径であるとともに、図４に示すように円形であって、リング連結部３２ｂの最大径部をなしている。
【００３２】
竜頭リング３３は、竜頭軸３２より短く、その内周にはねじロック用の雌ねじ３６が形成されているとともに、これより大径な結合穴３７が竜頭リング３３に設けられている。図４に示すように結合穴３７は、雌ねじ３６の一端に連続する奥面３７ａを有して竜頭リング３３の一端に開放されている。竜頭リング３３の外周には、竜頭操作の際に使用者の指が滑ることを防止する凹凸が形成されている。
【００３３】
竜頭軸３２と竜頭リング３３との連結は、竜頭リング３３の内側に竜頭軸３２を通して、連結ねじ部３４を雌ねじ３６の一端部に螺合することによって、圧入部３５を結合穴３７に引き込むとともに圧入させて行われている。
【００３４】
こうした組立てでは、連結ねじ部３４と雌ねじ３６との噛み合いと、圧入部３５と結合穴３７との係合とにより、竜頭軸３２と竜頭リング３３とを確実に連結して竜頭３１を組立てることができる。このため、後述の竜頭操作に伴って竜頭軸３２と竜頭リング３３とのねじ噛み合い部が弛むおそれをなくすことができる。
【００３５】
なお、更なる弛み防止のために、圧入部３５と結合穴３７との間に接着剤を補助的に入れて固定することは妨げない。又、本発明において、竜頭軸３２と竜頭リング３３とが同じ金属製である場合には、竜頭軸３２の連結ねじ部３４を省略して、圧入部３５と結合穴３７との係合部分を溶接止めすることも可能である。竜頭軸３２と竜頭リング３３とが同じ金属製である場合には、竜頭軸３２の連結ねじ部３４を省略して、接着剤を用いて圧入部３５と結合穴３７との係合部分を固定することも可能である。
【００３６】
以上のように竜頭３１を、単一部品ではなく、竜頭軸３２と竜頭リング３３との２部品を連結して形成したので、竜頭リング３３が単体の状態で、この竜頭リング３３の内周にタップなどのねじ切り工具（図示しない）を挿入して、ねじロックのための雌ねじ３６を加工できる。
【００３７】
この場合、ねじ切り工具を竜頭リング３３にその軸方向に貫通させることができる。したがって、ねじ切り工具の挿入深さを微妙に制御する配慮が不必要であるので、竜頭３１に雌ねじ３６を形成する加工性が向上される。これにより、低コストで雌ねじ３６を加工できる。又、こうした加工性の向上に伴い雌ねじ３６の寸法ばらつきが抑制されて加工精度を向上できる。その上、既述のように製造の過程でねじ切り工具を竜頭リング３３に貫通させて雌ねじ３６を加工するので、不完全ねじ部を有さない雌ねじ３６、つまり、切り始めから切終わりまで完全ねじ部で形成された雌ねじ３６を加工できる。
【００３８】
図２及び図３に示すように組立てられた竜頭３１には、その竜頭リング３３とその内側の竜頭軸３２との間に、胴外突出部２１ｂの挿入を許す環状溝３８が形成されている。この竜頭３１の竜頭軸３２は、その軸方向に進退可能となるように巻真パイプ２１の内側に挿入されている。この竜頭軸３２の外周に形成された環状のパッキン取付け溝３２ｃ（図４及び図５参照）には、環形をなしたゴムのような弾性を有する弾性材料からなる防水パッキン３９が取付けられている。防水パッキン３９は、巻真パイプ２１の内周と竜頭軸３２の外周との間に圧縮状態に弾性変形して挟まれ、これらの間の防水を担っている。
【００３９】
竜頭３１の雌ねじ３６は、巻真パイプ２１の雄ねじ２３に取外し可能に螺合される。この場合、竜頭３１の竜頭リング３３に指をかけて、竜頭３１を締め付け方向に回転させることで、雌ねじ３６の雄ねじ２３への噛み合い（螺合）を深くすることができ、この逆に竜頭３１を弛める方向に回転させることで、図３に示すように前記噛み合いを外すことができる。そして、竜頭３１を回転させて締め付けることによって、図２に示すように竜頭リング３３の端面が胴１３の胴外面１３ａに当接して、腕時計１１の携帯時に竜頭３１が不用意に回転されないようにねじロックする機能が発揮される。
【００４０】
図２及び図３に示すように胴挿入筒部３２ａ内には、時計ムーブメントの巻真４１が胴１３の内部から外部に向けて挿入されているとともに、この巻真４１を支えとしてばね受け４２を介して竜頭３１を胴１３の外部に向けて付勢する付勢体例えばコイルばね４３が収容されている。時計ムーブメントは、雄ねじ２３に対する雌ねじ３６の噛み合いを外した状態、言い換えれば、ねじロックが解除された状態（図３参照）で、竜頭３１の回転操作に連動して回転される。これにより、時刻合わせ等が行われる。
【００４１】
竜頭操作後に竜頭３１を胴外突出部２１ｂに取付けてねじロックするには、その竜頭軸３２に巻真４１が接続された状態のままで胴１３の外部から巻真パイプ２１内に押し込みながら、竜頭リング３３の雌ねじ３６を胴外突出部２１ｂの雄ねじ２３に螺合し締付けることで行われる。竜頭３１が雄ねじ２３に最も深くねじ込まれた状態で、竜頭リング３３が胴外面１３ａに当接されて、この竜頭３１により胴外突出部２１ｂが覆い隠される。
【００４２】
この腕時計１１の携帯中は、竜頭３１がねじロックされているので、不用意に竜頭３１が回されて、時刻表示などが変化することを防止できる。時刻合わせ等を行う場合には、ねじロックをする場合と逆方向に竜頭３１を回転させて、雄ねじ２３に対する雌ねじ３６の噛み合いを外して、竜頭３１をコイルばね４３のばね力に抗して引出した状態で行うことができる。
【００４３】
以上の竜頭操作に伴う竜頭３１の雌ねじ３６と巻真パイプ２１の雄ねじ２３との噛み合い部の寿命低下を次の理由で抑制できる。
【００４４】
第１に、既述のように竜頭３１の雌ねじ３６の加工精度が向上されたことに伴い、この雌ねじ３６と巻真パイプ２１の雄ねじ２３との噛み合いの精度が向上する。そのため、雄ねじ２３と雌ねじ３６との噛み合いの円滑性が保証されて、ねじ噛み合い不良によるねじ噛み合い部の損傷が抑制される結果、ねじ噛み合い部の寿命低下を抑制できる。
【００４５】
第２に、既述のように竜頭３１の雌ねじ３６は全体が完全ねじ部で形成されていて、不完全ねじ部を有していない。このため、竜頭３１の回転操作に伴い、不完全ねじ部で巻真パイプ２１の雄ねじ２３が変形されることがないので、ねじ噛み合い部の寿命低下を抑制できる。
【００４６】
又、前記構成の竜頭リング３３は竜頭３１の外筒部をなすが、この外筒部の雌ねじ３６からなる内面と凹凸面からなる外面との間の肉厚寸法を、竜頭３１として必要な最小厚み寸法に確保できるので、竜頭３１の外径が大きくなることがない点で好ましい。ちなみに、竜頭の外筒部を竜頭軸と一体の外筒部位と、この部位の内面に接着剤を用いて固定される外筒リングとから形成して、このリングの内周に雌ねじを加工した構成が考えられる。しかし、この構成では、外筒部位の機械的強度を確保するために、この外筒部位にはある程度の厚みが必要である。しかも、この外筒部位に、雌ねじを加工するためにある程度の厚みを有した外筒リングの厚みと接着層との厚みが加わる。このため、この竜頭の外筒部の肉厚は厚くならざるを得ず、この竜頭の外径が大きくなる。
【００４７】
本発明は、前記一実施形態には制約されるものではなく、例えばダイバーズウォッチ等のような高圧防水性能を要求される腕時計の他に、こうした圧防水性能を要求されない通常の腕時計、懐中時計、又はネックレス型の提げ時計などの携帯時計にも適用可能である。
【図面の簡単な説明】
【００４８】
【図１】本発明の一実施形態に係る腕時計を示す正面図。
【図２】竜頭がねじロックされた状態で図１中Ｚ−Ｚ線に沿って示す断面図。
【図３】竜頭のねじロックが解除された状態で図１中Ｚ−Ｚ線に沿って示す断面図。
【図４】一実施形態に係る腕時計の竜頭を分解して示す斜視図。
【図５】一実施形態に係る腕時計の竜頭を示す斜視図。
【符号の説明】
【００４９】
１１…腕時計（携帯時計）
１２…時計外装組立
１３…胴
１３ａ…胴外面
２１…巻真パイプ
２１ｂ…胴外突出部
２３…胴外突出部の雄ねじ
３１…竜頭
３２…竜頭軸
３２ａ…胴挿入筒部
３２ｂ…リング連結部
３３…竜頭リング
３４…連結ねじ部
３５…圧入部
３６…竜頭リングの雌ねじ
３７…結合穴
【図１】
2006226929.tif 000003
【図２】
2006226929.tif 000004
【図３】
2006226929.tif 000005
【図４】
2006226929.tif 000006
【図５】
2006226929.tif 000007